(57)【要約】【課題】ＴＰＣの精度を向上させる。【解決手段】端末１０において監視部３２は、基地局５０へデータを送信するタイミングの変化量の履歴を記録し、記録した変化量の累積値を監視する。そして、ＴＰＣ調整部３５は、上記の累積値と第１の閾値との比較結果に基づいて、基地局５０から受信したＴＰＣ値を調整する。例えば、ＴＰＣ調整部３５は、監視部３２が監視している累積値が第１の閾値未満から第１の閾値以上となった場合、基地局５０から受信したＴＰＣ値を調整する。【選択図】図２
2015192424.tif 000002
【特許請求の範囲】
【請求項１】
無線基地局から送信された送信電力の制御値を受信する受信部と、
前記無線基地局へデータを送信するタイミングの変化量の履歴を記録し、前記記録した変化量の累積値を監視する監視部と、
前記累積値と第１の閾値との比較結果に基づいて、前記受信した制御値を調整する調整部と、
を具備することを特徴とする無線端末装置。
【請求項２】
前記調整部は、前記累積値が第１の閾値未満から前記第１の閾値以上となった場合、前記受信した制御値を調整する、
ことを特徴とする請求項１に記載の無線端末装置。
【請求項３】
前記監視部は、前記無線端末装置の送信電力値が第２の閾値以上から前記第２の閾値未満となった第１のタイミングから、前記累積値の算出を開始する、
ことを特徴とする請求項１又は２に記載の無線端末装置。
【請求項４】
無線基地局と、無線端末装置とを有する無線通信システムであって、
前記無線基地局は、
前記無線端末装置の送信電力の制御値を送信する送信部と、
前記送信した制御値に基づく送信電力値によって前記無線端末装置から送信された信号を受信する受信部と、
を具備し、
前記無線端末装置は、
前記無線基地局から送信された送信電力の制御値を受信する受信部と、
前記無線基地局へデータを送信するタイミングの変化量の履歴を記録し、前記記録した変化量の累積値を監視する監視部と、
前記累積値と第１の閾値との比較結果に基づいて、前記受信した制御値を調整する調整部と、
を具備する、
ことを特徴とする無線通信システム。
【発明の詳細な説明】
【技術分野】
【０００１】
本発明は、無線端末装置、及び、無線通信システムに関する。
【背景技術】
【０００２】
従来、移動局と基地局との間の無線通信において、移動局から基地局へのデータ送信に必要な電力を制御する技術として、ＴＰＣ（Ｔｒａｎｓｍｉｓｓｉｏｎ  Ｐｏｗｅｒ  Ｃｏｎｔｒｏｌ）がある。
【０００３】
ＴＰＣでは、まず、基地局が、移動局からデータを受信し、その受信レベルを検出する。基地局は、検出された受信レベルに応じたＴＰＣ値を移動局へ送信する。具体的には、基地局は、検出された受信レベルが所定値以下である場合、電力アップを指示するＴＰＣ値を送信する。反対に、検出された受信レベルが所定値より高い場合、基地局は、電力ダウンを指示するＴＰＣ値を送信する。ＴＰＣ値は、フレーム毎に送信される。すなわち、ＴＰＣは、フレーム単位で実行される。このようなＴＰＣによって、基地局における受信レベルが適切な範囲に制御され得る。
【先行技術文献】
【特許文献】
【０００４】
【特許文献１】特開２００８−１７００９号公報
【発明の概要】
【発明が解決しようとする課題】
【０００５】
しかしながら、上述した技術では、移動局は、基地局からの指示に基づき、自局の送信電力を制御することから、移動局の状態によっては、送信電力制御のタイミングにタイムラグが生じることがある。すなわち、移動局が、上記基地局のセル端部から基地局側に移動している場合、上述したように、基地局は、移動局に対して、移動局のＴＰＣ値を低下させる指示を出す。そして、例えば、移動局が基地局の近傍を高速で通過し基地局から遠ざかっていく時には、基地局側での上記指示が追い付かず、移動局側での送信電力制御に、何フレーム分かの遅延が生じてしまうこととなる。その結果、移動局の送信電力は、受信レベルに見合わない不足な値となる。このことが、移動局と基地局との間の通信を不安定化させ、最悪の場合、移動局と基地局との間の通信が切断してしまう可能性がある。
【０００６】
開示の技術は、上記に鑑みてなされたものであって、ＴＰＣの精度を向上させる、無線端末装置、及び、無線通信システムを提供することを目的とする。
【課題を解決するための手段】
【０００７】
開示の態様では、無線基地局へデータを送信するタイミングの変化量の履歴を記録し、前記記録した変化量の累積値を監視し、前記累積値と第１の閾値との比較結果に基づいて、前記受信した制御値を調整する。
【発明の効果】
【０００８】
開示の態様によれば、ＴＰＣの精度を向上させることができる。
【図面の簡単な説明】
【０００９】
【図１】図１は、実施例１の無線通信システムの一例を示す図である。
【図２】図２は、実施例１の端末の一例を示すブロック図である。
【図３】図３は、実施例１の送信電力制御部の一例を示すブロック図である。
【図４】図４は、実施例１のＴＰＣ変換部及び送信電力算出部の一例を示すブロック図である。
【図５】図５は、実施例１の基地局の一例を示すブロック図である。
【図６】図６は、端末による送信電力制御処理を説明するためのタイミングチャートの前半部分を示す図である。
【図７】図７は、端末による送信電力制御処理を説明するためのタイミングチャートの後半部分を示す図である。
【図８】図８は、端末の処理動作の一例を示すフローチャートである。
【図９】図９は、端末のハードウェア構成例を示す図である。
【図１０】図１０は、基地局のハードウェア構成例を示す図である。
【発明を実施するための形態】
【００１０】
以下に、本願の開示する無線端末装置、及び、無線通信システムの実施形態を図面に基づいて詳細に説明する。なお、この実施形態により本願の開示する無線端末装置、及び、無線通信システムが限定されるものではない。
【００１１】
［実施例１］
［無線通信システムの概要］
図１は、実施例１の無線通信システムの一例を示す図である。図１において、無線通信システム１は、無線端末装置１０と、無線基地局装置５０とを有する。以下では、無線端末装置を単に「端末」と呼び、無線基地局装置を単に「基地局」と呼ぶことがある。図１において、セルＣ５０は、基地局５０のカバーエリアに相当する。また、図１に示すように、端末１０が矢印Ｘの方向に高速で移動しているものとする。
【００１２】
基地局５０は、端末１０の送信電力を制御する制御値（つまり、ＴＰＣ値）を送信する。また、基地局５０は、既知信号（例えば、パイロット信号）を送信する。また、基地局５０は、端末１０の送信タイミングを制御するタイミングアドバンス情報（つまり、「ＴＡ（Timing  Advance）情報」）を送信する。
【００１３】
端末１０は、基地局５０から送信された、上記のＴＰＣ値、既知信号、及び、ＴＡ情報を受信する。また、端末１０は、受信した既知信号に基づいて、「パス変動情報」を取得する。ここで、「ＴＡ情報」とは、基地局５０から送信される、送信タイミングの制御コマンドであり、端末１０は、このコマンドに基づき、基地局５０との距離の変化を調整した上で、基地局５０に対するデータ送信を行う。また、「パス変動情報」とは、下り方向のパスサーチ（DownLink追従制御）の結果による、送信タイミングの変化量を示す情報である。
【００１４】
そして、端末１０は、基地局５０へデータを送信するタイミングの変化量（つまり、ＴＡ情報及びパス変動情報）の履歴を記録し、記録した変動量の「累積値」を監視する。そして、端末１０は、その累積値と「第１の閾値」との比較結果に基づいて、受信したＴＰＣ値を調整する。例えば、端末１０は、その累積値が第１の閾値未満から前記第１の閾値以上となった場合、受信したＴＰＣ値を調整する。
【００１５】
ここで、端末１０が基地局５０へ近づいている段階では、受信したＴＰＣ値はダウンを指示するＴＰＣ値となる。また、端末１０が基地局５０へ高速で近づいている段階では、上記の変動量は速いペースで増加するので、上記の蓄積量も速いペースで増加することになる。そして、その累積値が第１の閾値未満から前記第１の閾値以上となった場合には、端末１０が基地局５０に十分近づいたと判断できるので、この段階で、端末１０は、受信したＴＰＣ値を調整する。すなわち、端末１０は、受信したＴＰＣ値を、アップを指示するＴＰＣ値に変換する。
【００１６】
以上で説明した端末１０の処理動作によって、端末１０が基地局５０に十分近づいたと判断した段階で、受信したＴＰＣ値を、アップを指示するＴＰＣ値に変換するので、端末１０が高速移動する場合でも送信電力値が不足することを防止することができる。
【００１７】
［端末の構成例］
図２は、実施例１の端末の一例を示すブロック図である。図１において、端末１０は、ＲＦ（Radio  Frequency）受信部１１と、パスサーチ部１２と、受信処理部１３と、送信電力制御部１４と、送信処理部１５と、ＲＦ送信部１６とを有する。
【００１８】
ＲＦ受信部１１は、基地局５０から送信された無線信号をアンテナを介して受信し、当該無線信号に対して受信無線処理（ダウンコンバート、アナログディジタル（Ａ／Ｄ）変換など）を施す。こうして得られた受信信号は、パスサーチ部１２及び受信処理部１３へ出力される。
【００１９】
パスサーチ部１２は、ＲＦ受信部１１から受け取った受信信号に含まれる既知信号に基づいて、パス位相値を検出すると共にパス変動情報を取得する。そして、パスサーチ部１２は、検出したパス位相値を受信処理部１３へ出力し、取得したパス変動情報を送信電力制御部１４及び送信処理部１５へ出力する。
【００２０】
受信処理部１３は、ＲＦ受信部１１で得られた受信信号を復調及び復号し、得られた受信データのうち、ＴＰＣ値を送信電力制御部１４へ出力し、ＴＡ情報を送信電力制御部１４及び送信処理部１５へ出力し、ＴＰＣ値及びＴＡ情報以外の受信データを後段の機能部へ出力する。すなわち、受信処理部１３は、基地局５０から送信されたＴＰＣ値及びＴＡ情報を受信する。
【００２１】
送信電力制御部１４は、ＴＰＣ値、ＴＡ情報、及びパス変動情報を入力し、「変換条件」を満たす場合、ＴＰＣ値を変換する。そして、送信電力制御部１４は、変換条件が満たされた場合には、変換されたＴＰＣ値に基づいて送信電力値を算出し、変換条件が満たされなかった場合には、変換されていないＴＰＣ値に基づいて送信電力値を算出する。算出された送信電力値は、ＲＦ送信部１６へ出力される。これにより、送信電力制御部１４によって送信電力値がＲＦ送信部１６に設定される。
【００２２】
図３は、実施例１の送信電力制御部の一例を示すブロック図である。図３において、送信電力制御部１４は、ＴＰＣ変換部２１と、送信電力算出部２２とを有する。
【００２３】
ＴＰＣ変換部２１は、ＴＰＣ値、ＴＡ情報、及びパス変動情報を入力信号とし、「変換条件」を満たす場合、ＴＰＣ値を変換する。
【００２４】
変換条件として、具体的には、以下の条件を設定し得る。
（条件１）「累積値算出対象期間」内であること。
（条件２）「累積値」が第１の閾値未満から第１の閾値以上となったこと。
【００２５】
また、ＴＰＣ変換部２１は、送信電力算出部２２から出力される送信電力値を入力信号とし、送信電力値が「第２の閾値」以下であるフレームを「累積値算出対象期間」を構成するフレームとする。
【００２６】
また、ＴＰＣ変換部２１は、「変換可能期間」において、ＴＰＣ値を変換する。「変換可能期間」は、上記した変換条件が満たされたフレームから「設定フレーム数」後のフレームまでの期間である。
【００２７】
送信電力算出部２２は、ＴＰＣ変換部２１から受け取るＴＰＣ値に基づいて、送信電力値を算出し、ＲＦ送信部１６へ出力する。
【００２８】
図４は、実施例１のＴＰＣ変換部及び送信電力算出部の一例を示すブロック図である。図４において、ＴＰＣ変換部２１は、算出対象期間判定部３１と、監視部３２と、変換条件判定部３３と、回数制御部３４と、ＴＰＣ調整部３５とを有する。また、監視部３２は、タイミング変化量蓄積部３６と、累積値算出部３７とを有する。
【００２９】
算出対象期間判定部３１は、事前に設定されている「第２の閾値」と、フレーム単位で入力される送信電力値とを比較する。そして、算出対象期間判定部３１は、入力された送信電力値が第２の閾値以下である期間において、「累積値算出対象期間」であることを示す通知信号を累積値算出部３７へ出力する。
【００３０】
監視部３２は、基地局５０へデータを送信するタイミングの変化量（つまり、ＴＡ情報及びパス変動情報）の履歴を記録し、「累積値算出対象期間」における変化量の累積値を監視する。例えば、タイミング変化量蓄積部３６は、受信処理部１３から受け取るＴＡ情報及びパス変動情報の履歴を記録する。そして、累積値算出部３７は、「累積値算出対象期間」における変化量の累積値をフレームの終了毎に算出し、変換条件判定部３３へ出力する。すなわち、ＴＡ情報及びパス変動情報はフレーム毎にタイミング変化量蓄積部３６へ順次入力されるので、累積値算出部３７は、「累積値算出対象期間」のフレーム毎に新たなＴＡ情報及びパス変動情報が届く度に累積値を算出する。
【００３１】
変換条件判定部３３は、上記した変換条件を満たしているか否かを判定し、条件を満たしたときに、「アップ変換命令」と「変換可能期間の開始通知」とを、ＴＰＣ調整部３５及び回数制御部３４へ出力する。そして、変換条件判定部３３は、回数制御部３４から「フレーム数の満了通知」を受け取るまでフレーム毎に「アップ変換命令」をＴＰＣ調整部３５及び回数制御部３４へ出力する。
【００３２】
回数制御部３４は、変換可能期間の開始通知を受け取ってから、「アップ変換命令」を受け取った数をカウントする。すなわち、回数制御部３４は、「アップ変換命令」が変換条件判定部３３から出力されたフレームの数をカウントしている。そして、回数制御部３４は、カウント値が設定フレーム数に到達すると、「フレーム数の満了通知」を変換条件判定部３３へ出力する。これにより、１つの変換可能期間が終了する。
【００３３】
ＴＰＣ調整部３５は、変換可能期間において変換条件判定部３３から受け取る「アップ変換命令」に基づいて、入力されたＴＰＣ値を調整する。すなわち、ＴＰＣ調整部３５は、変換可能期間において入力されたＴＰＣ値のうちでダウンを示すＴＰＣ値を、アップを示すＴＰＣ値に変換して送信電力算出部２２へ出力する。一方、ＴＰＣ調整部３５は、変換可能期間において入力されたＴＰＣ値のうちでアップを示すＴＰＣ値をそのまま送信電力算出部２２へ出力する。なお、ＴＰＣ調整部３５は、変換可能期間以外の期間でも、入力されたＴＰＣ値をそのまま送信電力算出部２２へ出力する。
【００３４】
また、図４において、送信電力算出部２２は、電力値変換部４１と、算出部４２，４３とを有する。
【００３５】
電力値変換部４１は、ＴＰＣ調整部３５から受け取ったＴＰＣ値をアップ又はダウンの幅を表す値（ｄＢ値）に変換する。そして、電力値変換部４１は、ＴＰＣ値の変換結果であるｄＢ値を、算出部４２へ出力する。
【００３６】
算出部４２は、電力値変換部４１からのｄＢ値と、算出部４２の出力とを入力信号とし、当該出力に対するＴＰＣ値の加算又は減算を行う。この算出処理は、フレーム単位で実行され、算出結果は、算出部４３に出力される。
【００３７】
算出部４３は、送信電力の初期値と算出部４２による算出結果とを入力信号とし、当該初期値と当該算出結果との加算結果を、送信電力値として出力する。送信電力値は、算出対象期間判定部３１へ出力される。
【００３８】
図２の説明に戻り、送信処理部１５は、送信データ及び既知信号（例えば、プリアンブル信号）を入力信号とし、符号化及び変調し、得られた送信信号をＲＦ送信部１６へ出力する。
【００３９】
ＲＦ送信部１６は、送信処理部１５から受け取る送信信号に対して受信無線処理（アップコンバート、ディジタルアナログ（Ｄ／Ａ）変換など）を施す。こうして得られた無線信号は、アンテナを介して後述の基地局５０へ送信される。
【００４０】
［基地局の構成］
図５は、実施例１の基地局の一例を示すブロック図である。図５において、基地局５０は、ＲＦ受信部５１と、受信レベル検出部５２と、受信処理部５３と、ＴＰＣ生成部５４と、ＴＡ情報生成部５５と、送信処理部５６と、ＲＦ送信部５７とを有する。
【００４１】
ＲＦ受信部５１は、端末１０から送信された無線信号をアンテナを介して受信し、当該無線信号に対して受信無線処理（ダウンコンバート、アナログディジタル（Ａ／Ｄ）変換など）を施す。こうして得られた受信信号は、受信レベル検出部５２へ出力される。
【００４２】
受信レベル検出部５２は、ＲＦ受信部５１から受け取る受信信号に基づいて、受信レベルを検出する。検出された受信レベルに関する情報（以下では、「受信レベル情報」と呼ぶことがある）はＴＰＣ生成部５４へ出力される。また、受信レベル検出部５２は、ＲＦ受信部５１から受け取る受信信号を受信処理部５３へ出力する。
【００４３】
受信処理部５３は、ＲＦ受信部５１で得られた受信信号を復調及び復号し、得られた既知信号（例えば、プリアンブル信号）をＴＡ情報生成部５５へ出力し、受信データを後段の機能部へ出力する。
【００４４】
ＴＰＣ生成部５４は、受信レベル検出部５２で検出された受信レベルに応じたＴＰＣ値を決定し、決定されたＴＰＣ値を含むＴＰＣ信号を生成する。このＴＰＣ信号は、送信処理部５６へ出力される。
【００４５】
ＴＡ情報生成部５５は、受信処理部５３から受け取る既知信号の受信タイミングと、基準タイミングとに基づいて、ＴＡ情報を生成する。このＴＡ情報は、送信処理部５６へ出力される。
【００４６】
送信処理部５６は、ＴＰＣ信号、ＴＡ情報及び送信データを入力とし、符号化及び変調し、得られた送信信号をＲＦ送信部５７へ出力する。
【００４７】
ＲＦ送信部５７は、送信処理部５６から受け取る送信信号に対して受信無線処理（アップコンバート、ディジタルアナログ（Ｄ／Ａ）変換など）を施す。こうして得られた無線信号は、アンテナを介して端末１０へ送信される。
【００４８】
［無線通信システムの動作例］
以上の構成を有する無線通信システム１の処理動作例について説明する。主に、端末１０の処理動作例について説明する。図６は、端末による送信電力制御処理を説明するためのタイミングチャートの前半部分を示す図である。図７は、端末による送信電力制御処理を説明するためのタイミングチャートの後半部分を示す図である。図８は、端末の処理動作の一例を示すフローチャートである。
【００４９】
動作説明の前提として、調整前のＴＰＣ値は、図６に示すように、フレームＦ１〜Ｆ１１，Ｆ１４，Ｆ１６においては、ダウンを表す“−”であり、フレームＦ１２，Ｆ１３，Ｆ１５，Ｆ１７〜Ｆ１９では、アップを表す“＋”であるものとする。また、アップ幅及びダウン幅は、例えば、２ｄＢであり、フレーム周期は、例えば１ｍｓである。また、第２の閾値（電力閾値）は、例えば１８ｄＢである。また、図７に示すように、第１の閾値（タイミング閾値）としては、“＋１２”が設定され、設定フレーム数としては、“３”が設定されているものとする。
【００５０】
図６及び図７では、ｘ軸方向、つまり左右方向に時間ｔが、ｙ軸方向、つまり上下方向に送信電力値がそれぞれ規定されている。
【００５１】
図６において、調整前のＴＰＣ値は、フレームＦ１〜Ｆ１１，Ｆ１４，Ｆ１６においては、ダウンを表す“−”となっている。また、パス変動情報は、フレームＦ１，Ｆ２を除き、プラスの値をとっている。これは、上記の通り、端末１０が基地局５０に高速で近づきそれの近傍を通って基地局５０から高速で離れていくことを前提としているためである。ＴＡ情報についても同様に、フレームＦ８，Ｆ１４において、それぞれがプラスの値（＋７，＋５）をとっている。
【００５２】
算出対象期間判定部３１は、送信電力値が第２の閾値（電力閾値）以下になったか否かを繰り返し判定している（ステップＳ１０１否定）。図６において、端末１０の送信電力値は、フレームＦ１から時間の経過に伴って減少し、フレームＦ５で第２の閾値（電力閾値）と等しくなる（ステップＳ１０１肯定）。このとき、算出対象期間判定部３１から「累積値算出対象期間」であることを示す通知信号が累積値算出部３７へ出力され、図７に示すように、「累積値算出対象期間」がスタートする。すなわち、上記の（条件１）が満たされる。
【００５３】
そして、累積値算出部３７は、変化量の累積値の算出を開始し（ステップＳ１０２）、「累積値算出対象期間」における変化量の累積値をフレームの終了毎に算出する。そして、変換条件判定部３３は、累積値が第１の閾値以上になったか否かを繰り返し判定する（ステップＳ１０３否定）。図７では、算出された累積値がフレームＦ９において第１の閾値（タイミング閾値）に到達する（ステップＳ１０３肯定）。すなわち、上記の（条件２）が満たされる。ここで、（条件１）及び（条件２）が満たされるので、変換条件判定部３３は、「アップ変換命令」と「変換可能期間の開始通知」とを、ＴＰＣ調整部３５及び回数制御部３４へ出力する。
【００５４】
そして、ＴＰＣ調整部３５は、変換可能期間において変換条件判定部３３から受け取る、アップ変換命令に基づいて、入力されたＴＰＣ値を調整する（ステップＳ１０４）。図６では、フレームＦ９〜Ｆ１１においてＴＰＣ値がダウンを示しているので、ＴＰＣ調整部３５は、ダウンを示すＴＰＣ値を、アップを示すＴＰＣ値へ変換する。この結果、フレームＦ９〜Ｆ１１では、送信電力値が、増加している。
【００５５】
そして、設置フレーム数“３”と同じ回数だけアップ変換命令が出力される間、変換可能期間が継続する（ステップＳ１０５否定）。また、設置フレーム数“３”と同じ回数だけアップ変換命令が出力されると、変換可能期間が終了する（ステップＳ１０５肯定）。そして、フローは終了する。
【００５６】
以上のように本実施例によれば、端末１０において監視部３２は、基地局５０へデータを送信するタイミングの変化量の履歴を記録し、記録した変化量の累積値を監視する。そして、ＴＰＣ調整部３５は、上記の累積値と第１の閾値との比較結果に基づいて、基地局５０から受信したＴＰＣ値を調整する。例えば、ＴＰＣ調整部３５は、監視部３２が監視している累積値が第１の閾値未満から第１の閾値以上となった場合、基地局５０から受信したＴＰＣ値を調整する。
【００５７】
この端末１０の構成により、端末１０が移動して基地局５０の近傍に近づいたことを示す指標として利用可能な「データを送信するタイミングの変化量の累積値」が第１の閾値以上となったとき、つまり端末１０が基地局５０に十分近づいたときに、ＴＰＣ値を調整できる。このため、端末１０がさらに基地局５０から高速で遠ざかる場合でもこれを見越して、基地局５０から受信したＴＰＣ値を、アップを示すＴＰＣ値に調整できるので、端末の送信電力値が受信レベルに見合わない不足した値となることを防止することができる。結果として、ＴＰＣの精度を向上させることができる。
【００５８】
また、監視部３２は、端末１０の送信電力値が第２の閾値以上から第２の閾値未満となった第１のタイミングから、累積値の算出を開始する。
【００５９】
この端末１０の構成により、端末１０が基地局５０から遠いときには累計値を算出しないので、端末１０の処理負担を低減できる。
【００６０】
なお、以上の説明では、「累積値算出対象期間」において「データを送信するタイミングの変化量の累積値」が第１の閾値以上となった場合、ＴＰＣ調整部３５が基地局５０から受信したＴＰＣ値を調整するものとして説明を行ったが、次のような変更を加えてもよい。すなわち、ＴＰＣ調整部３５は、つぎの場合に、基地局５０から受信したＴＰＣ値を調整してもよい。この場合とは、「累積値算出対象期間」において上記の累積値が第１の閾値以上となり、且つ、累積値算出対象期間の開始タイミング（つまり、上記の第１のタイミング）から上記の累積値が第１の閾値以上となった第２のタイミングまでの時間長（例えば、フレーム数）が第３の閾値以下である場合である。すなわち、この場合に、変換条件判定部３３は、「アップ変換命令」と「変換可能期間の開始通知」とを、ＴＰＣ調整部３５及び回数制御部３４へ出力する。これにより、端末１０の高速移動を示す判断指標として利用可能な上記の時間長を用いるので、端末１０が高速移動している可能性がより高い状況でのみＴＰＣ値の調整を行うことができる。
【００６１】
［他の実施例］
実施例で図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００６２】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしてもよい。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしてもよい。
【００６３】
実施例１の端末及び基地局は、例えば、次のようなハードウェア構成により実現することができる。
【００６４】
図９は、端末のハードウェア構成例を示す図である。図９に示すように、端末１００は、ＲＦ（Radio  Frequency）回路１０１と、プロセッサ１０２と、メモリ１０３とを有する。
【００６５】
プロセッサ１０２の一例としては、ＣＰＵ（Central  Processing  Unit）、ＤＳＰ（Digital  Signal  Processor）、ＦＰＧＡ（Field  Programmable  Gate  Array）等が挙げられる。また、メモリ１０３の一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。
【００６６】
そして、実施例１の端末で行われる各種処理機能は、不揮発性記憶媒体などの各種メモリに格納されたプログラムを増幅装置が備えるプロセッサで実行することによって実現してもよい。すなわち、パスサーチ部１２と、受信処理部１３と、送信電力制御部１４と、送信処理部１５とによって実行される各処理に対応するプログラムがメモリ１０３に記録され、各プログラムがプロセッサ１０２で実行されてもよい。また、パスサーチ部１２と、受信処理部１３と、送信電力制御部１４と、送信処理部１５とによって実行される各処理は、ベースバンドＣＰＵ及びアプリケーションＣＰＵ等の複数のプロセッサによって分担されて実行されてもよい。またＲＦ受信部１１とＲＦ送信部１６とは、ＲＦ回路１０１によって実現される。
【００６７】
図１０は、基地局のハードウェア構成例を示す図である。図１０に示すように、基地局２００は、ＲＦ回路２０１と、プロセッサ２０２と、メモリ２０３と、ネットワークＩＦ（Inter  Face）２０４とを有する。プロセッサ２０２の一例としては、ＣＰＵ、ＤＳＰ、ＦＰＧＡ等が挙げられる。また、メモリ２０３の一例としては、ＳＤＲＡＭ等のＲＡＭ、ＲＯＭ、フラッシュメモリ等が挙げられる。
【００６８】
そして、実施例１の基地局で行われる各種処理機能は、不揮発性記憶媒体などの各種メモリに格納されたプログラムを増幅装置が備えるプロセッサで実行することによって実現してもよい。すなわち、受信レベル検出部５２と、受信処理部５３と、ＴＰＣ生成部５４と、ＴＡ情報生成部５５と、送信処理部５６とによって実行される各処理に対応するプログラムがメモリ２０３に記録され、各プログラムがプロセッサ２０２で実行されてもよい。また、ＲＦ受信部５１とＲＦ送信部５７とは、ＲＦ回路２０１によって実現される。
【００６９】
なお、ここでは、基地局２００が一体の装置であるものとして説明したが、これに限定されない。例えば、基地局２００は、無線装置と制御装置という２つの別体の装置によって構成されてもよい。この場合、例えば、ＲＦ回路２０１は無線装置に配設され、プロセッサ２０２と、メモリ２０３と、ネットワークＩＦ２０４とは制御装置に配設される。
【符号の説明】
【００７０】
１  無線通信システム
１０  端末
１１，５１  ＲＦ受信部
１２  パスサーチ部
１３，５３  受信処理部
１４  送信電力制御部
１５，５６  送信処理部
１６，５７  ＲＦ送信部
２１  ＴＰＣ変換部
２２  送信電力算出部
３１  算出対象期間判定部
３２  監視部
３３  変換条件判定部
３４  回数制御部
３５  ＴＰＣ調整部
３６  タイミング変化量蓄積部
３７  累積値算出部
４１  電力値変換部
４２，４３  算出部
５０  基地局
５２  受信レベル検出部
５４  ＴＰＣ生成部
５５  ＴＡ情報生成部
【図１】
2015192424.tif 000003
【図２】
2015192424.tif 000004
【図３】
2015192424.tif 000005
【図４】
2015192424.tif 000006
【図５】
2015192424.tif 000007
【図６】
2015192424.tif 000008
【図７】
2015192424.tif 000009
【図８】
2015192424.tif 000010
【図９】
2015192424.tif 000011
【図１０】
2015192424.tif 000012